(57)【特許請求の範囲】
【請求項１】
パネル組立式のプレハブ建物を構成する木質パネルを工場内で製造する木質パネルの製造ラインであって、
標準的な大きさを有する標準パネルを製造する標準パネル製造ラインと、前記標準パネルよりも大きさの小さい小パネルを製造する小パネル製造ラインと、前記標準パネルと前記小パネルとを工場内で予備的に組み立てて予備組立パネルとする予備組立ラインとを備え、
前記標準パネル製造ラインは、前記予備組立ラインでの組立に使用される予備組立用標準パネルの製造と単体の状態で建築現場まで輸送される単体標準パネルの製造とを混在させて行うラインとされ、前記小パネル製造ラインと前記予備組立ラインとの間に配置されるとともに、当該標準パネル製造ラインの入り口から一方に向かって延び、その途中位置で反転して当該入り口側に向かって延び、当該入り口よりも反転位置寄りに当該標準パネル製造ラインの出口が設けられ、この標準パネル製造ラインの出口に近接して前記予備組立ラインの入口が設けられ、かつ標準パネル製造ラインの出口には、前記単体標準パネルを搬送する単体標準パネル搬送ラインの入口が接続され、
前記単体標準パネル搬送ラインは、前記標準パネル製造ラインの出口に向かう方向から反転して前記予備組立ラインの出口に向かう方向に延びて設けられ、当該単体標準パネル搬送ラインの出口と、前記予備組立ラインの出口とは、互いに近接した位置に設けられ、
前記小パネル製造ラインの出口と前記予備組立ラインの小パネル供給位置との間には、前記小パネルを吊り上げて搬送する小パネル吊上げ搬送ラインが前記標準パネル製造ラインの上側を通過するように設けられていることを特徴とする木質パネルの製造ライン。
【発明の詳細な説明】
【０００１】
【産業上の利用分野】
本発明は、パネル組立式のプレハブ建物を構成する木質パネルを工場内で製造する木質パネルの製造ラインに関し、工場内に標準パネルと小パネルとを予備的に組み立てて予備組立パネルとするための予備組立ラインを設ける場合に利用できる。
【０００２】
【背景技術】
従来より、工場で製造された複数のパネルを現場で組み立てるプレハブ建物の建築が行われている。このパネル組立式のプレハブ建物を構成する木質パネルは、通常、複数本の芯材により枠組みを形成してこれに面材を張り付けて構成されている。一般に、このような木質パネルは、工場内の製造ラインで流れ作業により製造される。
【０００３】
ところで、工場内で製造される木質パネルには、標準的な大きさを有する標準パネル（例えば、一辺の長さが３尺以上のパネル）と、この標準パネルよりも大きさの小さい小パネル（例えば、３尺角以下のパネル）とがある。これらの標準パネルと小パネルとは、工場内で予備的に組み立てられて予備組立パネル（サブアッシーなどと呼ばれることもある）の状態で建築現場に運ばれることがある。従って、工場内には、標準パネル製造ラインと、小パネル製造ラインと、予備組立ラインとを設置しなければならない。
なお、標準パネルとしては、以上に述べたような予備組立に使用される予備組立用標準パネルだけではなく、単体の状態で建築現場まで輸送される単体標準パネルもある。
【０００４】
【発明が解決しようとする課題】
一般に、工場内において、前述した標準パネル製造ライン、小パネル製造ライン、および予備組立ラインを設けるにあたっては、無秩序に各ラインを配置するわけにはいかず、工場建屋の床面積等を考慮して各ラインを効率よく配置しなければならないという課題がある。
また、各ライン間で木質パネルの受け渡しが必要な場合には、作業者の負担や作業効率等を考慮して、受渡側のラインの出口位置と受取側のラインの入口位置とを近接させる等の配慮が必要となる。
【０００５】
さらに、工場内で製造した木質パネルは、倉庫等の保管場所や建築現場に運ばれる。この際、各ラインで製造された各種の木質パネルは、作業効率の向上を図るという点で、工場建屋外に搬出しやすいように各ラインから出てくることが望ましい。従って、各ラインを配置するにあたっては、各ラインの出口位置を考慮しての配置が要求される。
【０００６】
本発明の目的は、小スペースで配置でき、工場建屋内のスペースの有効利用を図ることができるとともに、作業者の負担の軽減および作業効率の向上を図ることができる木質パネルの製造ラインを提供することにある。
【０００７】
【課題を解決するための手段】
本発明は、パネル組立式のプレハブ建物を構成する木質パネルを工場内で製造する木質パネルの製造ラインであって、標準的な大きさを有する標準パネルを製造する標準パネル製造ラインと、前記標準パネルよりも大きさの小さい小パネルを製造する小パネル製造ラインと、前記標準パネルと前記小パネルとを工場内で予備的に組み立てて予備組立パネルとする予備組立ラインとを備え、前記標準パネル製造ラインは、前記予備組立ラインでの組立に使用される予備組立用標準パネルの製造と単体の状態で建築現場まで輸送される単体標準パネルの製造とを混在させて行うラインとされ、前記小パネル製造ラインと前記予備組立ラインとの間に配置されるとともに、当該標準パネル製造ラインの入り口から一方に向かって延び、その途中位置で反転して当該入り口側に向かって延び、当該入り口よりも反転位置寄りに当該標準パネル製造ラインの出口が設けられ、この標準パネル製造ラインの出口に近接して前記予備組立ラインの入口が設けられ、かつ標準パネル製造ラインの出口には、前記単体標準パネルを搬送する単体標準パネル搬送ラインの入口が接続され、前記単体標準パネル搬送ラインは、前記標準パネル製造ラインの出口に向かう方向から反転して前記予備組立ラインの出口に向かう方向に延びて設けられ、当該単体標準パネル搬送ラインの出口と、前記予備組立ラインの出口とは、互いに近接した位置に設けられ、前記小パネル製造ラインの出口と前記予備組立ラインの小パネル供給位置との間には、前記小パネルを吊り上げて搬送する小パネル吊上げ搬送ラインが前記標準パネル製造ラインの上側を通過するように設けられていることを特徴とする。
【００１１】
【作用】
このような本発明においては、標準パネル製造ラインで標準パネルを製造するとともに、小パネル製造ラインで小パネルを製造する。そして、小パネル製造ラインで製造された小パネルを小パネル吊上げ搬送ラインで吊り上げて予備組立ラインの小パネル供給位置まで搬送する。一方、標準パネル製造ラインで製造された標準パネルを予備組立ラインの標準パネル供給位置に供給する。その後、予備組立ラインで標準パネルと小パネルとを組み立てて予備組立パネルとする。
【００１２】
この際、小パネル製造ラインは、標準パネル製造ラインを挟んで予備組立ラインの反対側に配置され、かつ標準パネル製造ラインが途中位置で反転されるとともに、その出口が予備組立ラインの入口に近接し、この出口に単体標準パネル搬送ラインの入口が接続され、さらに単体標準パネル搬送ラインの出口と予備組立ラインの出口とが互いに近接した位置に設けられるので、各ラインを小スペースで配置することが可能となり、工場建屋内のスペースの有効利用が図られる。また、このような配置とすると小パネル製造ラインと予備組立ラインとが離れることになるが、小パネル吊上げ搬送ラインにより小パネル製造ラインから予備組立ラインへの小パネルの供給が自動的に行われるので、例えば、台車に載せて小パネルを運ぶ場合等に比べ、作業者の負担の軽減、作業効率の向上が図られ、これらにより前記目的が達成される。
【００１３】
また、標準パネル製造ラインで予備組立用標準パネルの製造と単体標準パネルの製造とを混在させて行うようにした場合には、予備組立ラインでの組立所要時間に応じて標準パネル製造ラインでの予備組立用標準パネルの製造が行われるようになる。つまり、予備組立用標準パネルの製造の合間に単体標準パネルの製造を挟むことにより、予備組立ラインへの予備組立用標準パネルの供給タイミングを調整可能となり、製造ラインのサイクルタイムの調整が行われる。
【００１４】
さらに、単体標準パネル搬送ラインを予備組立ラインの出口に向かう方向に延ばし、これらのラインの各出口位置が近接しているので、これらのラインで製造された各パネルの工場建屋外への搬出が容易になり、作業者の負担の軽減、作業効率の向上がより一層図られる。
【００１５】
また、小パネル吊上げ搬送ラインが標準パネル製造ラインの上側を通過するように配置されているので、工場建屋内のスペースの有効利用がより一層図られる。
【００１６】
【実施例】
以下、本発明の一実施例を図面に基づいて説明する。
図１には、本実施例の木質パネル１０の製造ライン５０の配置構成を示す工場建屋内の平面図が示されている。また、図２には、木質パネル１０の一般的な構成が分解斜視図で示されている。
製造ライン５０は、工場で製造された複数のパネルを現場で組み立てて建築されるパネル組立式のプレハブ建物を構成する木質パネル１０を製造するためのラインである。
【００１７】
図２に示す如く、木質パネル１０は、通常、複数本の芯材１１により枠組み１２を形成してこれに面材１３を張り付けて構成されている。また、枠組み１２の内部には、グラスウール等の断熱材１４が設けられている。
【００１８】
木質パネル１０の種類としては、大きさで区分すると、標準的な大きさを有する標準パネル２０（例えば、一辺の長さが３尺以上のパネル）と、この標準パネル２０よりも大きさの小さい小パネル３０（例えば、３尺角以下のパネル）とがある。
また、木質パネル１０には、単体で建築現場に運ばれるものと、図３に示す如く、複数の木質パネル１０を工場で予備的に組み立てて成る予備組立パネル（サブアッシー）４０の状態とされて建築現場に運ばれるものとがある。
【００１９】
図３には、予備組立パネル４０の組立前の状態が示されている。予備組立パネル４０は、二枚の標準パネル２０とこれらの間に挟まれる二枚の小パネル３０とにより構成されている。これらの標準パネル２０と小パネル３０との接合は、だぼ４１等を用いて行われている。そして、四枚のパネル２０，３０により囲まれて形成される開口部には、窓サッシ等が取り付けられるようになっている。また、この開口部の周囲四辺のうち標準パネル２０側の二辺には、調整材４２が設けられている。
なお、予備組立パネル４０は、このような構成に限定されるものではなく、例えば、四枚以外の枚数の木質パネル１０により構成されるものとしてもよい。
【００２０】
図１において、製造ライン５０は、標準パネル２０を製造する標準パネル製造ライン５１と、小パネル３０を製造する小パネル製造ライン５２と、予備組立パネル４０を製造する予備組立ライン５３とを備えて構成されている。
また、小パネル製造ライン５２の出口と予備組立ライン５３の小パネル供給位置との間には、図中点線に示す如く、小パネル３０を吊り上げて搬送する小パネル吊上げ搬送ライン５４が設けられている。
【００２１】
標準パネル製造ライン５１は、位置５１Ａに設けられた自動加工機により芯材１１の加工を行い、位置５１Ｂで枠組み１２を形成し、位置５１Ｃで片側の面材１３を張り付け、位置５１Ｄでプレスを行った後、位置５１Ｅでパネルを反転させてから、位置５１Ｆで断熱材１４を入れ、位置５１Ｇで反対側の面材１３を張り付け、位置５１Ｈで再びプレスを行い、位置５１Ｊに設けられたサイザー装置により寸法仕上げを行うようになっている。
【００２２】
また、標準パネル製造ライン５１は、製造した標準パネル２０を、位置５１Ｋで予備組立ライン５３での組立に使用される予備組立用標準パネル２１（図３参照）と単体の状態で建築現場まで輸送される単体標準パネル２２とに振り分けるようになっている。
このうち予備組立用標準パネル２１は、位置５１Ｋで方向を変えずに流れ来たまま真っ直ぐに進んで予備組立ライン５３に供給される。
一方、単体標準パネル２２は、位置５１Ｋに接続されて予備組立ライン５３の出口に向かう方向に延びるように設けられた単体標準パネル搬送ライン５５により、１８０度方向を変えて流れて来た方向に戻るように搬送される。
【００２３】
小パネル製造ライン５２では、芯材１１による枠組み１２の形成や面材１３の張り付け等、標準パネル製造ライン５１の場合と略同様な作業が行われるので、詳しい説明は省略する。
【００２４】
予備組立ライン５３は、位置５３Ａおよびパネルが水平に９０度回された状態となる位置５３Ｂで、必要なだぼ穴の加工を行ってから、位置５３Ｃで、だぼ４１の打ち込みや調整材４２の設置、さらには標準パネル２０（予備組立用標準パネル２１）と小パネル３０との仮組みを行い、続いて、位置５３Ｄに設けられた二台のジョインタを交互に用いて標準パネル２０と小パネル３０とを組み立てて予備組立パネル４０の状態とし、その後、位置５３Ｅに設けられた立て起こし機により予備組立パネル４０を立て起こし、位置５３Ｆで、開口部への窓サッシ等の取り付けを行うようになっている。
【００２５】
小パネル吊上げ搬送ライン５４は、小パネル３０を吊り上げて上方に移動させ、標準パネル製造ライン５１の上側を通過させることにより、小パネル３０を予備組立ライン５３まで搬送供給する構成となっている。
図４には、小パネル吊上げ搬送ライン５４を構成する小パネル吊上げ治具６０とこの小パネル吊上げ治具６０を案内する案内レール６１とが示されている。
小パネル吊上げ治具６０は、案内レール６１の内部に設けられた牽引部材６２に間隔を置いて取り付けられた複数の係合用部材６３のうちの一つに引っ掛けられて吊り上げられるようになっている。
小パネル吊上げ治具６０は、逆Ｖ字状部材６５の下端間を接続する載置用部材６６の上側に小パネル３０を載せ、この状態でクランプ６７により小パネル３０の上部を押さえて倒れないようにして、小パネル３０を支持する構成となっている。
【００２６】
このような本実施例においては、以下のようにして各種の木質パネル１０を製造する。
先ず、標準パネル製造ライン５１で標準パネル２０を製造するとともに、小パネル製造ライン５２で小パネル３０を製造する。
次に、小パネル製造ライン５２で製造された小パネル３０を小パネル吊上げ搬送ライン５４で吊り上げて予備組立ライン５３の小パネル供給位置（位置５３Ｂまたは位置５３Ｃ付近）まで搬送する。
【００２７】
一方、標準パネル製造ライン５１で製造された標準パネル２０のうちの予備組立用標準パネル２１を、予備組立ライン５３の標準パネル供給位置（位置５３Ａ）に供給する。なお、標準パネル製造ライン５１で製造された標準パネル２０のうちの単体標準パネル２２は、単体標準パネル搬送ライン５５により予備組立ライン５３の出口に向かう方向に搬送される。
その後、予備組立ライン５３で標準パネル２０（予備組立用標準パネル２１）と小パネル３０とを組み立てて予備組立パネル４０とする。
【００２８】
このような本実施例によれば、次のような効果がある。
すなわち、小パネル製造ライン５２を標準パネル製造ライン５１を挟んで予備組立ライン５３の反対側に配置するので、各ラインを小スペースで配置することができ、工場建屋内のスペースの有効利用を図ることができる。
【００２９】
また、小パネル吊上げ搬送ライン５４により、小パネル製造ライン５２から予備組立ライン５３への小パネル３０の供給が自動的に行われるので、例えば、台車に載せて小パネル３０を運ぶ場合等に比べ、作業者の負担の軽減、作業効率の向上を図ることができる。
【００３０】
さらに、標準パネル製造ライン５１では、予備組立用標準パネル２１の製造と単体標準パネル２２の製造とが行われるので、予備組立ライン５３での組立所要時間に応じて標準パネル製造ライン５１での予備組立用標準パネル２１の製造を行うことができる。つまり、予備組立用標準パネル２１の製造の合間に単体標準パネル２２の製造を挟むことにより、予備組立ライン５３への予備組立用標準パネル２１の供給タイミングを調整できるので、製造ライン５０のサイクルタイムの調整を実現できる。
【００３１】
また、単体標準パネル搬送ライン５５は、予備組立ライン５３の出口に向かう方向に延びているので、これらのライン５５，５３の各出口位置が近くなるため、これらのライン５５，５３で製造された各パネル２２，４０の工場建屋外への搬出を容易に行うことができ、作業者の負担の軽減、作業効率の向上をより一層図ることができる。
【００３２】
さらに、小パネル吊上げ搬送ライン５４は、標準パネル製造ライン５１の上側を通過する配置とされているので、工場建屋内のスペースの有効利用をより一層図ることができる。
【００３３】
なお、本発明は前記実施例に限定されるものではなく、本発明の目的を達成できる範囲内での変形等は本発明に含まれるものである。
すなわち、前記実施例では、小パネル吊上げ搬送ライン５４は、標準パネル製造ライン５１の上側を通過する配置とされていたが、本発明の小パネル吊上げ搬送ラインは、このような配置に限定されるものではなく、要するに、小パネル製造ライン５２と予備組立ライン５３とを結ぶように設けられ、小パネル製造ライン５２で製造された小パネル３０を自動的に予備組立ライン５３に供給できる配置とされていればよい。しかし、前記実施例のような標準パネル製造ライン５１の上側を通過する配置としておくことが、スペースの有効利用を図るという点で好ましい。
【００３４】
【発明の効果】
以上に述べたように本発明によれば、小パネル製造ラインを標準パネル製造ラインを挟んで予備組立ラインの反対側に配置するので、各ラインを小スペースで配置することができ、工場建屋内のスペースの有効利用を図ることができるうえ、小パネル吊上げ搬送ラインにより小パネル製造ラインから予備組立ラインへの小パネルの供給を自動的に行うことができるので、例えば、台車に載せて小パネルを運ぶ場合等に比べ、作業者の負担の軽減、作業効率の向上を図ることができるという効果がある。
【００３５】
また、標準パネル製造ラインで予備組立用標準パネルの製造と単体標準パネルの製造とを混在させて行うようにした場合には、予備組立ラインへの予備組立用標準パネルの供給タイミングを調整できるので、製造ラインのサイクルタイムの調整を実現できるという効果がある。
【００３６】
さらに、単体標準パネル搬送ラインを予備組立ラインの出口に向かう方向に延ばした場合には、これらのラインの各出口位置が近くなるので、これらのラインで製造された各パネルの工場建屋外への搬出を容易に行うことができ、作業者の負担の軽減、作業効率の向上をより一層図ることができるという効果がある。
【００３７】
また、小パネル吊上げ搬送ラインを標準パネル製造ラインの上側を通過する配置とした場合には、工場建屋内のスペースの有効利用をより一層図ることができるという効果がある。
【図面の簡単な説明】
【図１】本発明の一実施例の木質パネルの製造ラインの配置構成を示す工場建屋内の平面図。
【図２】木質パネルの一般的な構成を示す分解斜視図。
【図３】予備組立パネルの組立前の状態を示す分解図。
【図４】前記実施例の小パネル吊上げ搬送ラインの斜視図。
【符号の説明】
１０  木質パネル
２０  標準パネル
２１  予備組立用標準パネル
２２  単体標準パネル
３０  小パネル
４０  予備組立パネル
５０  木質パネルの製造ライン
５１  標準パネル製造ライン
５２  小パネル製造ライン
５３  予備組立ライン
５４  小パネル吊上げ搬送ライン
５５  単体標準パネル搬送ライン
【図１】
0003693701.tif 000002
【図２】
0003693701.tif 000003
【図３】
0003693701.tif 000004
【図４】
0003693701.tif 000005